(57)【要約】【課題】  磁石の吸着によって、引き揃え状態に保持したり、複数本、束ねた状態に保持することができる磁石を備えた筆記具を提供する。【解決手段】  端部に筆先部２を装着し、内部にこの筆先部２にインクを供給可能にしたインク室３を設けている軸筒１を有する筆記具において、上記軸筒１内に磁石収納室５を設けて、この磁石収納室５内に円板形状の磁石４を、その磁極面の向きを軸筒１の軸芯方向及び周方向に自由に変えられるように反転移動可能に収納してあり、複数本の筆記具を束ねた際に、隣接する筆記具の磁石４、４の互いに異なる磁極が対向するように作動させて束ねた状態で吸着、保持できるように構成している。【選択図】    図７
2014233848.tif 000002
【特許請求の範囲】
【請求項１】
端部に筆先部を装着している軸筒内に、上記筆先部にインクを供給する筒状のインク室を設けてなる筆記具において、上記軸筒内に磁石収納室を設け、この磁石収納室に磁石を軸筒の軸心方向及び周方向に反転移動可能に内装していることを特徴とする筆記具。
【請求項２】
軸筒の上半部内と下半部内にそれぞれ異色のインクを充填している筒状のインク室を設けると共に軸筒の上下端にそれぞれのインク室内のインクにより筆記する筆先部を備えてあり、軸筒の長さ方向の中央部内で対向するこれらのインク室の底面間の軸筒中央部内に空間部を設けてこの空間部を磁石収納室に形成していることを特徴とする請求項１に記載の筆記具。
【請求項３】
軸筒は合成樹脂製円筒体からなると共に、筆先部を備えた端部を小径に形成してこの小径端部に外径が軸筒の外径と同径又は小径でクリップを備えていないキャップ体を被嵌させていることを特徴とする請求項１又は請求項２に記載の筆記具。
【請求項４】
磁石は軸筒内で反転可能な直径を有する円板形状に形成されていると共にその厚み方向の中央部から１半部側をＮ極に、他半部側をＳ極に形成していることを特徴とする請求項１に記載の筆記具。
【発明の詳細な説明】
【技術分野】
【０００１】
本発明は、マーカペンやフェルトペン、或いはサインペン、ボールペンなどの筆記具、特に、不使用時にスチール机や冷蔵庫の壁面等の磁性材からなる壁面に吸着させておくことができる磁石を備えた筆記具に関する。
【背景技術】
【０００２】
このような筆記具としては従来から、例えば、特許文献１や特許文献２に記載されているように、本体軸部に磁石を固着してなる筆記具が知られている。即ち、特許文献１にはボールペンやシャープペン等の本体軸部の外周面適所に板片状の磁石を接着剤によって固着してなる筆記具や、本体軸部の外周面にリング状の磁石を嵌着してなる筆記具が記載され、同様に、特許文献２には軸部の先端部分における外周面に板状の磁石を取付けているシャープペンや鉛筆等の筆記具が記載されている。
【先行技術文献】
【特許文献】
【０００３】
【特許文献１】実用新案登録第３１３７２６７号公報
【特許文献２】実開平７−３３６９４号公報
【発明の概要】
【発明が解決しようとする課題】
【０００４】
しかしながら、上記のように本体軸部の外周面適所に板片状の磁石を固着している筆記具においては、スチール机などの磁性材からなる壁面に磁石を吸着させることによって机上から転がり落ちるのを防止したり、冷蔵庫などの磁性材からなるパネル面に磁石を吸着させることによって筆記具を固定しておくことができるが、このような筆記具は、同じ磁極、例えば、Ｎの磁極面を表面側に向けた状態で本体軸部の外周面に磁石を固着しているので、２本の筆記具同士を引き揃えようとしても磁石同士が反発しあって引き揃えた状態でペン箱やペン皿に収納しておくことが困難であると共に、筆記具が個々に分離して紛失してしまう虞れがある。
【０００５】
一方、本体軸部の外周面にリング状の磁石を嵌着してなる筆記具においては、一方の半円部をＮ極、他方の半円部をＳ極にしておくことによって、２本の筆記具同士を引き揃え状態に接合させることができるが、磁石は本体軸部に一体に固着しているので、一方の筆記具に対して他方の筆記具を、互いの磁石の異なる磁極が対向するように向けた状態にして吸着させなければならず、その上、複数本の筆記具を集束させようとしても、隣接する筆記具において、互いの磁石を吸着させる筆記具と反発させる筆記具とが生じて、集束状態に吸着、保持させることができず、複数本の筆記具を販売あるいは保管のために筆立て箱などに収納しても、互いに反発しあう筆記具が生じて綺麗に収納しておくことができないといった問題点があった。
【０００６】
また、色の異なる複数本の筆記具を使用して多色のカラー文字やイラスト等を描く場合においても、使用している筆記具以外の筆記具を一カ所に集めた状態で定置させておくことが困難となり、イラスト等の作成に手間取るといった問題点があった。
【０００７】
本発明はこのような問題点に鑑みてなされたもので、その目的とするところは、筆記具に設けている磁石の磁極を磁性材からなるパネル面に向けることなく、筆記具をパネル面に接近させるだけで簡単に筆記具を磁石によってパネル面に吸着させることができ、また、筆記具同士を互いに接近させるだけで瞬時に引き揃え状態に吸着、保持させることができるばかりでなく、複数本、集束させた状態に吸着、保持可能にして紛失する虞れをなくすことができ、且つ、保管等も容易に行えると共に使用時においても色の異なる複数本の筆記具から所望の色の筆記を行える筆記具を容易に取り出すことができるようにした磁石を備えた筆記具を提供するにある。
【課題を解決するための手段】
【０００８】
上記目的を達成するために本発明の筆記具は、請求項１に記載したように、端部に筆先部を装着している軸筒内に、上記筆先部にインクを供給する筒状のインク室を設けてなる筆記具において、上記軸筒内に磁石収納室を設け、この磁石収納室に磁石を軸筒の軸心方向及び周方向に反転移動可能に内装していることを特徴とする。
【０００９】
このように構成した筆記具において、請求項２に係る発明は、軸筒の上半部内と下半部内にそれぞれ異色のインクを充填している筒状のインク室を設けると共に軸筒の上下端にそれぞれのインク室内のインクにより筆記する筆先部を備えてあり、軸筒の長さ方向の中央部内で対向するこれらのインク室の底面間の軸筒中央部内に空間部を設けてこの空間部を磁石収納室に形成していることを特徴とする。
【００１０】
さらに、請求項３に係る発明は、上記軸筒は合成樹脂製円筒体からなると共に、筆先部を備えた端部を小径に形成してこの小径端部に外径が軸筒の外径と同径又は小径でクリップを備えていないキャップ体を被嵌させていることを特徴とする。
【００１１】
請求項４に係る発明は、磁石は軸筒内で反転可能な直径を有する円板形状に形成されていると共にその厚み方向の中央部から１半部側をＮ極に、他半部側をＳ極に形成していることを特徴とする。
【発明の効果】
【００１２】
請求項１に係る発明によれば、筆記具の軸筒内に磁石収納室を設けてこの磁石収納室に磁石を軸筒の軸心方向及び周方向に反転移動可能に内装しているので、この筆記具をスチール机や冷蔵庫などの磁性材からなるパネル面に近づけると、磁石収納室に内装している磁石はその一方の磁極をパネル面に対向するように磁石収納室内で自由に移動して筆記具の向きに関係なくパネル面に確実に吸着させることができ、パネル面の所望部分に筆記具を簡単に固定、保持させることができる。同様に、筆記具同士を互いに引き揃えようとすると、これらの筆記具に設けている磁石は、磁石収納室内で自動的に異なる磁極が対向するように作動して瞬時に引き揃え状態に吸着、保持させることができる。
【００１３】
さらに、３本以上の筆記具を束ねると、隣接する筆記具の磁石収納室内の磁石同士が互いに吸着し合うようにその磁極面の向きを瞬時に変えて吸着させることができ、複数本の筆記具を集束状態に保持することができる。従って、紛失する虞れをなくすことができるばかりでなく、ペン箱やペン皿等に綺麗に収容、保管しておくことができ、また、色の異なる複数本の筆記具を使用する場合に、所望の色の筆記具を容易に選び出すことができると共に色の異なる筆記具との交換時には元の集束状態にしておくことができ、イラスト等の作成が能率よく行うことができる。
【００１４】
請求項２に係る発明によれば、軸筒の上半部内と下半部内にそれぞれ異色のインクを充填している筒状のインク室を設けると共に軸筒の上下端にそれぞれのインク室内のインクにより筆記する筆先部を備えてあり、軸筒の長さ方向の中央部内で対向するこれらのインク室の底面間の軸筒中央部内に空間部を設けてこの空間部を磁石収納室に形成しているので、一本の共通した軸筒に異色のマーカペン等の筆記具を備えた筆記具を提供することができるのは勿論、この筆記具の軸体における長さ方向の中央部内に磁石収納室を設けているので、複数本の筆記具を引き揃えた状態で吸着、保持させる場合に、同色のインキ室同士を並列状態に接合させても、異色のインキ室同士を並設状態に接合させても、これらの筆記具の磁石収納室に設けている磁石同士を吸着させて安定した引き揃え状態に保持することができ、ペン箱等に整然と収納しておくことができる。
【００１５】
請求項３に係る発明によれば、上記軸筒は合成樹脂製円筒体からなると共に、筆先部を備えた端部を小径に形成してこの小径端部に外径が軸筒の外径と同径又は小径でクリップを備えていないキャップ体を被嵌させているので、筆記具同士を隙間なく整然と引き揃えた状態となるように磁石同士を吸着させることができる。
【００１６】
請求項４に係る発明によれば、磁石は軸筒内で反転可能な直径を有する円板形状に形成されていると共にその厚み方向の中央部から１半部側をＮ極に、他半部側をＳ極に形成しているので、複数本の筆記具を束ねた際に、隣接する筆記具の磁石収納室内に設けている磁石を異なる磁極が対向するように磁石収納室内で自由に作動させて集束した状態に確実に保持させることができる。
【図面の簡単な説明】
【００１７】
【図１】本発明筆記具の一部を断面した正面図である。
【図２】（ａ）は磁石の拡大斜視図、（ｂ）はその断面図である。
【図３】スチール机等の磁性材からなるパネル面に吸着させた状態の斜視図。
【図４】２本の筆記具を引き揃える直前の状態の斜視図である。
【図５】（ａ）は、磁石同士が吸着する直前の状態を示す磁石収納室の拡大縦断面図であり、（ｂ）は磁石同士が吸着した状態を示す磁石収納室の拡大縦断面図である。
【図６】３本の筆記具を束ねた状態の磁石収納室部分の拡大横断面図である。
【図７】複数本の筆記具を集束、吸着させた状態を示す斜視図である。
【図８】その拡大横断面図である。
【図９】（ａ）（ｂ）は、磁石の変形例を示す拡大断面図である。
【図１０】筆記具の別な実施例を示す一部を断面した正面図である。
【発明を実施するための形態】
【００１８】
本発明の具体的な実施例を図面について説明すると、図１において、筆記具Ｐは一定長さを有する軸筒１の端部に筆先部２を装着していると共に、上記軸筒１内に、上記筆先部２にインクを供給する筒状のインク室３を設けてなり、さらに、このインク室３と共に軸筒１内に磁石４をその磁極面の向きが軸筒１の長さ方向や内周面方向に自由に変えられるように、軸筒１の軸心方向及び周方向に反転移動可能に内装している磁石収納室５を設けている。
【００１９】
上記筆先部２とこの筆先部２にインクを供給するインク室３を、上記軸筒１内に一組だけ設けておいてもよいが、図１に示す筆記具においては、一本の軸筒１に二組設けていて異なる色の筆記を可能にした筆記具を構成している。即ち、軸筒１の上半部内と下半部内とに互いに異なった色のインクを充填しているインク室３、3Aをそれぞれ設けていると共に、軸筒１の上下開口端にそれぞれのインク室３、3Aからのインクの供給を受ける筆先部２、2Aを装着してあり、さらに、軸筒１の長さ方向の中央部内で対向しているこれらのインク室３、3Aの底面間の軸筒中央部の空間部を上記磁石収納室５に形成している。
【００２０】
この磁石収納室５内に収納している磁石４は、図２に示すように一定厚みを有する円板形状に形成されていると共にその厚み方向の中央部を境にして一半部側（図においては上半部側）をＮ極の磁極に、他半部側（図においては下半部側）をＳ極の磁極に形成している。さらに、この磁石４の直径は、磁石収納室５内においてその一方の磁極が上向きから下向きに、或いは、下向きから上向きに反転可能となるように磁石収納室５の内径よりも小径に形成している。従って、磁石４は磁石収納室５内においてその直径方向を上下方向に向けた状態、即ち、磁極面を磁石収納室５の内周面に向けた状態にも変動可能であると共にこの状態にして上下方向に向けた直径方向の仮想線を中心としてこの仮想線回りに回転可能であり、磁極面を磁石収納室５の内周面に向けた状態で周方向にその向きを変えることができるように構成している。
【００２１】
上記軸筒１は、合成樹脂製円筒体からなると共に、筆先部２、2Aを装着している上下両端部の外周面を、インク室３、3Aを内蔵している軸筒１の中央部の外径よりも小径に形成して、この小径端部に外径が軸筒１の外径と同径又はやや小径でクリップを備えていないキャップ体６、6Aを取り外し可能に被嵌させている。なお、図においてはこの軸筒１は透明ないしは半透明にしているが、不透明であってもよい。
【００２２】
軸筒１の両端部に装着している上記筆先部２、2Aの一例としては、先端を細くしたフェルトペン先からなり、これらの筆先部２、2Aに中継芯部2'、2A' を一体に設けていて、該中継芯部2'、2A' の基部を、インクを吸収している繊維からなる中綿を内蔵した上記インク室３、3A内に挿入し、インク室３、3A内のインクをこの中継芯部2'、2A' にそれぞれ含浸させて上記筆先部２、2Aにそれぞれ供給するように構成したマーカペンの構造としているが、その他のペン構造を採用してもよい。
【００２３】
軸筒１の長さ方向の中央部内で対向する上記インク室３、3Aの基端開口部は栓体７、7Aによってそれぞれ密閉されてあり、これらの栓体７、7A間の軸筒１の中央空間部を上記磁石収納室５に形成している。
【００２４】
上記のように構成した筆記具Ｐは、図１に示すように、一方の筆先部２を上方に向けた状態においては、その磁石収納室５内に収納している磁石４はその径方向を軸筒１の長さ方向に直交させた状態にして一方の磁極面を他方の筆先部2Aのインク室3Aの外底面を形成している栓体7A上に載置された状態にある。この筆記具Ｐを図３に示すように、磁性材からなるパネル面を形成しているスチール机の天板上に置くと、磁石４は、磁石収納室５内においてその径方向を軸筒１の長さ方向に向くように変動して一方の磁極面を瞬時にパネル面に向け、筆記具Ｐをパネル面の所望部分にに吸着、保持させることができる。同様にパネル面が垂直面であっても、磁石４をその一方の磁極面を該パネル面に向けて反転移動するように作動させて吸着、保持させることができる。
【００２５】
さらに、図４に示すように２本の筆記具P1、P2を引き揃え状態にする際に、互いに対向する磁石４の磁力が影響を及ぼさない程度に筆記具P1、P2同士が離間している場合には、図５（ａ）に示すように、これらの筆記具P1、P2の磁石収納室５、５内の磁石４、４はその一方の磁極面を下方のインク室3Aの外底面に載置された状態にあるが、接近させて引き揃え状態にすると、図５（ｂ）に示すように、これらの筆記具P1、P2の磁石４、４は、磁石収納室５内においてその径方向を軸筒１の長さ方向に向くように且つ一方の磁石４のＮ極と他方の磁石４のＳ極とが対向するように変動して、対向する磁極面を、互いに接した筆記具P1、P2の磁石収納室５、５の内周面に密接させた状態で吸着し合い、この吸着力によって筆記具P1、P2を瞬時に引き揃え状態に保持することができる。
【００２６】
また、３本の筆記具P1、P2、P3を引き揃え状態にすると、図６に示すように、これらの筆記具P1、P2、P3の磁石収納室５内に収納している磁石４は、その直径方向を筆記具P1、P2、P3の軸筒１、１、１の中心を結ぶ正三角形の中心に向け、且つ、隣接する筆記具の磁石片４、４の異なる磁極を対向させた状態となるように作動して互いに吸着し合い、これらの筆記具P1、P2、P3を束ねた状態に保持させることができる。
【００２７】
同様に、複数本の筆記具P1、P2・・・Pnを集束させると、図８に示すように隣接するする筆記具の磁石４、４同士が、互いに吸着するようにその磁極面の向きを瞬時に変動させて集束した状態を保持することができる。また、２本の筆記具P1、P2を引き揃える場合や複数本の筆記具P1、P2・・・Pnを集束させる場合には、その両端部に装着している隣接する筆記具の筆先部２、2Aを必ずしも同じ方向に向ける必要はなく、相反する方向に向けても磁石４、４同士を上記のように吸着させることができる。なお、磁石４の形状としては図９（ａ）に示すように、周端面が凸円弧状に湾曲した円板形状であっても、或いは、図９（ｂ）に示すように、断面紡錘形状に形成しておいてもよく、さらには、球状体であってもよい。
【００２８】
また、以上の実施例においては、軸筒１内に異なる色のインクを充填しているインク室３、3Aを設けているが、同色のインク室を設けて太字の細字とを筆記できるように構成しておいてもよく、また、図10に示すように、先端に筆先部２を装着している軸筒１内に一つのインク室3'を設けてこのインク室3'内のインクを上記筆記具２に供給可能に構成すると共に軸筒１の基端を閉止した尾栓８の内面と上記インク室3'の外底面間の軸筒１の基端側空間部を磁石収納室5'に形成してこの磁石収納室5'内に円板形状の上記磁石４を、その磁極面の向きを軸筒１の長さ方向や周方向に自由に変えられるように、即ち、軸筒１の軸心方向及び周方向に反転移動可能に内装しておいてもよい。その他の構成については上記実施例と同様であるので、同一部分には同一符号を付して詳細な説明を省略する。
【符号の説明】
【００２９】
１  軸筒
２、2A  筆先部
３、3A  インク室
４  磁石
５  磁石収納室
【図１】
2014233848.tif 000003
【図２】
2014233848.tif 000004
【図３】
2014233848.tif 000005
【図４】
2014233848.tif 000006
【図５】
2014233848.tif 000007
【図６】
2014233848.tif 000008
【図７】
2014233848.tif 000009
【図８】
2014233848.tif 000010
【図９】
2014233848.tif 000011
【図１０】
2014233848.tif 000012